(57)【要約】【課題】かご内混雑に伴う乗客の不快感を和らげるかご内の表示装置を提供する。【解決手段】  かご内の混雑度が高くなるにつれて、乗客の注目を集める順位の高い映像コンテンツに切替え表示する。例えば、かご内混雑度レベルが最も低い１の場合、かご位置と運転方向のみのシンプルな表示３０１の形態で表示を行い、次に、混雑度レベルが２の場合、館内案内文章や静止画像を表示する表示コンテンツ３０２の形態で表示を行う。また、混雑度のレベルが３の場合、映像ソースセレクタ２０３を制御して、かご内カメラ２０４の映像信号２０６を表示コンテンツ３０３の形態で表示し、さらに、混雑度レベルが最も高い４の場合、映像データ再生装置２０１から入力された映像を合成して表示コンテンツ３０４の形態で表示を行う。【選択図】図３
2011126655.tif 000002
【特許請求の範囲】
【請求項１】
多階床間をサービスするエレベーターと、前記エレベーターを制御するエレベーター制御装置と、かご内に設けられ静止画および動画を再生する表示能力を有するかご内表示装置と、乗りかご内の混雑度を検出するかご内混雑度検出装置とを備えたエレベーターのかご内表示制御装置において、前記かご内混雑度検出装置の出力を３段階以上のレベルに振り分ける混雑レベル判定手段と、前記混雑レベル判定手段の出力に応じてそれぞれ異なる静止画および動画を含む複数の映像を前記かご内表示装置に表示させる制御手段を備えたことを特徴とするエレベーターのかご内表示制御装置。
【請求項２】
請求項１において、前記かご内混雑度検出装置は、前記エレベーターのかご内に設けられ、乗りかご内の荷重を検知するかご内荷重検出装置であることを特徴とするエレベーターのかご内表示制御装置。
【請求項３】
請求項１または２において、前記異なる静止画および動画を含む複数の映像は、当該ビル内の案内を含む静止画と、所定のカメラからの動画像と、環境映像を含む動画コンテンツの再生映像を含むことを特徴とするエレベーターのかご内表示制御装置。
【請求項４】
請求項３において、前記所定のカメラからの動画像は、当該かご内に設置されたテレビカメラの映像であることを特徴とするエレベーターのかご内表示制御装置。
【請求項５】
多階床間をサービスするエレベーターと、前記エレベーターを制御するエレベーター制御装置と、前記エレベーター制御装置から出力するエレベーターの運転情報から現在位置と運転方向を案内するかご位置表示装置と、前記エレベーターのかご内にかご内の映像を撮影するかご内カメラと、前記エレベーターのかご内に設けられ、乗りかご内の荷重を検知するかご内荷重検出装置を備えたエレベーターのかご内表示制御装置において、
環境映像などの動画コンテンツを再生する映像再生装置と、前記かご内カメラの映像と前記映像再生装置からの映像を、前記エレベーター制御装置からの信号で切換えて出力する映像セレクタと、
前記かご内荷重検出装置の出力に基づいて当該かご内混雑度を３段階以上のレベルに振り分ける混雑レベル判定手段と、判定したかご内混雑レベルに応じて前記かご位置表示装置に表示する画像を切替える映像切替え手段を備えたことを特徴とするエレベーターのかご内表示制御装置。
【請求項６】
請求項５において、前記混雑レベル判定手段は４段階のレベルに振り分けるものであり、
前記かご内混雑度レベルが最も低いレベル１の場合に、前記かご位置表示装置に、かごの現在位置と運転方向を表示するレベル１表示手段と、
前記混雑度レベルが次に低いレベル２の場合に、前記かご位置表示装置に、かごの現在位置と運転方向の他に当該ビル内情報の画像を合成表示するレベル２表示手段と、
前記混雑度レベルが２番目に高いレベル３の場合に、前記かご位置表示装置に、かごの現在位置と運転方向の他に前記かご内カメラの映像を表示するレベル３表示手段と、
前記混雑度レベルが最も高いレベル４の場合に、前記かご位置表示装置に、かごの現在位置と運転方向の他に映像再生装置から出力した環境映像の動画を表示するレベル４表示手段を備えたことを特徴とするエレベーターのかご内表示制御装置。
【発明の詳細な説明】
【技術分野】
【０００１】
本発明は、エレベーターの乗りかご内に設置された表示装置に表示させるコンテンツの切替え制御に関する。
【背景技術】
【０００２】
特許文献１には、エレベーターの乗りかご内の混雑度が偏っている場合に、乗客に対して「奥まで詰めてください」などと報知する手段として乗りかご内に設置された表示装置を用いることが開示されている。
【０００３】
また、特許文献２には、エレベーターの行先階に合わせて、文字情報とＴＶ像を使い分けて乗客に行先階に関する情報を案内するサービスが開示されている。
【先行技術文献】
【特許文献】
【０００４】
【特許文献１】特開２００２−１６７１３０号公報
【特許文献２】特開昭６０−２０２０６２号公報
【発明の概要】
【発明が解決しようとする課題】
【０００５】
前述の特許文献１には、乗りかごの積載能力を十分に生かすことができるように乗客に対して、奥まで詰めるように誘導する案内を行うことが記載されている。しかし、エレベーターの積載能力を向上させると同時に、かご内が更に混雑し、乗客の不快感が増してしまう。
【０００６】
また、特許文献２には、かご内にディスプレイ装置を設けて、乗客の行き先階に応じて案内メッセージとテレビカメラにより撮影した映像とを切り替えて、前記ディスプレイ装置に切り替え表示することが記載されている。しかし、同一の行き先では表示内容も同一となるため、エレベーターを複数回利用した乗客は、表示内容を覚えてしまい、ディスプレイを気に留めなくなる。
【０００７】
そこで本発明の目的は、かご内の乗客が不快感を持つかご内混雑時に着目し、混雑による乗客の不快感を和らげるかご内の表示装置を提供することである。
【課題を解決するための手段】
【０００８】
上記目的を達成するために、本発明の望ましい実施態様においては、かご内の表示装置に表示するコンテンツを複数のコンテンツの中から選択して切り替える構成とし、かご内の混雑度が高くなるにつれて、乗客の注目を集める順位の高いコンテンツに変更することを特徴とする。
【０００９】
本発明の望ましい実施態様においては、多階床間をサービスするエレベーターと、前記エレベーターを制御するエレベーター制御装置と、かご内に設けられ静止画および動画を再生する表示能力を有するかご内表示装置と、乗りかご内の混雑度を検出するかご内混雑度検出装置とを備えたエレベーターのかご内表示制御装置において、前記かご内混雑度検出装置の出力を３段階以上のレベルに振り分ける混雑レベル判定手段と、前記混雑レベル判定手段の出力に応じてそれぞれ異なる静止画および動画を含む複数の映像を前記かご内表示装置に表示させる制御手段を備えたことを特徴とする。
【発明の効果】
【００１０】
本発明の望ましい実施態様によれば、かご内の表示装置に表示するコンテンツの新鮮さを保ち、混雑による乗客の不快感を和らげることができる。
【００１１】
本発明のその他の目的と特徴は、以下に述べる実施態様の中で明らかにする。
【図面の簡単な説明】
【００１２】
【図１】本発明の一実施例によるエレベーター装置の全体構成ブロック図である。
【図２】本発明の一実施例によるエレベーター表示装置の構成図である。
【図３】本発明の一実施例によりかご内の表示装置に表示するコンテンツを説明する図である。
【発明を実施するための形態】
【００１３】
以下、本発明の一実施例を図面を用いて説明する。
【００１４】
図１は、本発明の一実施例によるエレベーター装置の全体構成図である。図１において、１０１はエレベーター制御装置、１０２は群管理制御装置、１３１〜１３３はエレベーター１〜３号機の号機制御装置である。１４１〜１４３は、１〜３号機のエレベーター乗りかごである。１５１〜１５３はかご内の行先階登録装置、１６１〜１６３はかご内のかご位置表示装置である。１７１〜１７３はかご内荷重検出装置である。１８１，１８２は各階床乗場の各号機共通の乗場呼び釦、１９１〜１９６はそれぞれの乗場に設けられサービスエレベーターを案内するためのホールランタン（予約灯とも呼ぶ）である。
【００１５】
図１に示す実施例において、エレベーター機械室にあるエレベーター制御装置１０１は、群管理制御装置１０２と複数の号機制御装置１３１〜１３３から構成されている。エレベーターの乗りかごについて、かご１４１を例に採って説明すれば、かご呼び釦１５１が設けられており、かご呼び釦１５１の信号は号機制御装置１３１へ入力される。各階の乗場、例えば１階乗場には乗場呼び釦１８１が設けられており、これらは群管理制御装置１０２との間で直接に、信号の入出力を行う。乗りかご１４１内に設置されたかご位置表示装置１６１も、群管理制御装置１０２から直接に、信号を入力している。他の乗場案内装置であるホールランタン１９１〜１９４は、号機制御装置１３１を介して群管理制御装置１０２との間で信号を入出力する構成としている。
【００１６】
なお、同一階に、車いす専用乗場呼びや台車利用乗場呼び、地下駐車場専用乗場呼びを設置する場合もある。
【００１７】
群管理制御装置１０２は、乗場呼び１８１，１８２からの信号、各号機制御装置１３１〜１３３から通信で送られてくるエレベーターの位置，方向，かご呼びの状況，かご内の混雑度信号などを加味して、新たに発生した乗場呼びに対して、上記エレベーター中のいずれかのかごを割当て、該当する号機制御装置１３１〜１３３に割当信号を送出する。号機制御装置１３１〜１３３は、エレベーターの走行制御，戸開閉制御ほかの号機に独立した制御を行い、群管理制御装置１０２へ出力する。また、群管理制御装置１０２からの割当信号によりホールランタン１９１〜１９３を制御し、待ち客に対して案内を行う。さらに、かご内荷重検出装置１７１〜１７３で検出したかご内荷重値は、群管理制御装置１０２に入力され、新たに発生した乗場呼びに対して上記エレベーター中のいずれかのかごを割当てるための判定要因の一つとする。
【００１８】
図２は、本発明の一実施例によるエレベーターかご内表示装置の構成図であり、１号機のみについて示している。
【００１９】
エレベーター機械室に、図１で説明した号機制御装置１３１が配置されており、その近傍には、環境映像などの動画を再生する映像データ再生装置２０１が設置されている。号機制御装置１３１内には、号機制御装置１３１の指令で入力映像を切換えて、かご上制御装置２０２へ出力する映像ソースセレクタ２０３を備えている。かご上制御装置２０２は、前記号機制御装置１３１からの各種情報を受け、かご内の各種装置を制御し、また、かご内の各種装置からの信号を号機制御装置１３１に伝送する。
【００２０】
かご内には、図１で説明したかご位置表示装置１６１や、かご内荷重検出装置１７１が設置されている。また、かご内の様子を撮影するかご内カメラ２０４が設置されている。
【００２１】
かご内荷重検出装置１７１によってかご内の荷重を検出し、かご上制御装置２０２を経由して、かご内荷重信号２０５を号機制御装置１３１に伝送する。また、かご内カメラ２０４の映像信号２０６も、かご上制御装置２０２を経由して、号機制御装置１３１に伝送する。
【００２２】
さて、号機制御装置１３１では、受取ったかご内の荷重値から、かご内混雑度を算出し、混雑度合いを最小の１から最大の４まで４段階のレベルに振り分け、４段階の混雑度合いに応じた表示コンテンツでのかご内表示を、制御指令信号２０７により指令する。前記映像ソースセレクタ２０３で選択された表示すべき表示コンテンツとして、映像信号２０８がかご上制御装置２０２へ送信される。
【００２３】
図３は、本発明の一実施例によるかご位置表示装置に表示するコンテンツを説明する図である。３０１〜３０４は、前記かご位置表示装置１６１に表示するコンテンツの内容を表したものである。
【００２４】
前記かご内混雑度のレベルが最も低い１の場合には、号機制御装置１３１から、かご上制御装置２０２を経由して、かご位置表示装置１６１に対して、かご位置と運転方向のみのシンプルな表示３０１とするよう制御指令信号２０７を送信する。前記かご位置表示装置１６１には、表示コンテンツ３０１の形態で表示を行う。
【００２５】
次に、前記かご内混雑度のレベルが２の場合には、号機制御装置１３１から、かご上制御装置２０２を経由して、かご位置表示装置１６１に対して、かご位置と運転方向以外に、館内案内などの文章や、静止画像を表示するよう制御指令信号２０７を送信する。前記かご位置表示装置１６１には、表示コンテンツ３０２の形態で表示を行う。
【００２６】
また、前記かご内混雑度のレベルが３の場合には、号機制御装置１３１から、かご上制御装置２０２を経由して、かご位置と運転方向以外に、入力された映像を合成して表示するよう制御指令信号２０７を送信する。一方、号機制御装置１３１から、映像ソースセレクタ２０３を制御して、映像データ再生装置２０１とかご内カメラ２０４の映像を切り換えて、かご内カメラ２０４の映像信号２０６を、かご位置表示装置１６１に入力するように指令する。この結果、かご位置表示装置１６１は、表示コンテンツ３０３の形態で表示を行うことになる。
【００２７】
さらに、かご内混雑度のレベルが最も高い４の場合には、号機制御装置１３１から、かご上制御装置２０２を経由して、かご位置と運転方向以外に、映像データ再生装置２０１から入力された映像を合成して表示するよう制御指令信号２０７によって指令する。また、号機制御装置１３１から、映像ソースセレクタ２０３を制御し、映像データ再生装置２０１とかご内カメラ２０４の映像を切り換えて、映像データ再生装置２０１から、環境映像などの動画を、映像信号２０８として、かご位置表示装置１６１へ送信する。この結果、かご位置表示装置１６１は、表示コンテンツ３０４の形態で表示を行う。
【００２８】
本発明の望ましい実施例においては、かご位置表示装置に表示するコンテンツを複数の内容から切り替えられる構成とし、表示するコンテンツ毎に乗客の注目を集める順位を付けて、かご内の混雑度が高くなるにつれて、前記乗客の注目を集める順位の高いコンテンツに、かご位置表示装置の表示内容を変更する。これにより、表示内容の新鮮さを保ち、かご内混雑による乗客の不快感を和らげることができる。
【００２９】
以上の実施例においては、かご内に表示するのは、通常、かごの現在位置（階床）と進行方向を表示するエレベーターのかご位置表示装置を用いるものとしたが、これに限ることなく、別に設置された表示装置であっても同様の効果が得られる。また、混雑度を４段階に分ける実施例について述べたが、３段階以上であれば、相応の効果を発揮できる。
【符号の説明】
【００３０】
１０１…エレベーター制御装置、１０２…群管理制御装置、１３１〜１３３…号機制御装置、１４１〜１４３…１〜３号機乗りかご、１５１〜１５３…行先階登録装置、１６１〜１６３…かご内表示装置（かご位置表示装置）、１７１〜１７３…かご内荷重検出装置、１８１，１８２…乗場呼び釦、１９１〜１９３…ホールランタン（予約灯）、２０１…映像データ再生装置、２０２…かご上制御装置、２０３…映像ソースセレクタ、２０４…かご内カメラ、２０５…かご内荷重信号、２０６…映像信号、２０７…制御指令信号、２０８…映像信号、３０１〜３０４…表示コンテンツ。
【図１】
2011126655.tif 000003
【図２】
2011126655.tif 000004
【図３】
2011126655.tif 000005